(57)【要約】【課題】ホログラム層に形成されるホログラムのパターンを、印刷された絵柄に対し見当を合わせて形成するホログラム層の形成方法を提供すること。ホログラムフィルム、包装材料、カードを提供すること。【解決手段】長尺状の透明フィルム５０上に絵柄を印刷し、絵柄と見当を合わせて透明ＵＶ硬化ニスを塗布し、透明ＵＶ硬化ニスの表面にホログラム形成用エンボス型３１で絵柄と見当を合わせてプレスし、ＵＶを照射して硬化させること。透明フィルム上に、透明又は／及び不透明なインキで絵柄、透明ＵＶ硬化ニスの表面にホログラム形成用エンボス型３１で絵柄と見当を合わせてプレスし、ＵＶを照射して硬化させたホログラム層、金属層が形成されたこと。【選択図】図４
2004198774.tif 000002
【特許請求の範囲】
【請求項１】
長尺状の透明フィルム上に透明ＵＶ硬化ニスを塗布し、その表面にホログラム形成用エンボス型でプレスし、ＵＶを照射して硬化させることを特徴とするホログラム層の形成方法。
【請求項２】
長尺状の透明フィルム上に絵柄を印刷し、透明ＵＶ硬化ニスを塗布し、その表面にホログラム形成用エンボス型でプレスし、ＵＶを照射して硬化させることを特徴とするホログラム層の形成方法。
【請求項３】
長尺状の透明フィルム上に絵柄を印刷し、その絵柄と見当を合わせて透明ＵＶ硬化ニスを塗布し、更に、その透明ＵＶ硬化ニスの表面にホログラム形成用エンボス型で絵柄と見当を合わせてプレスし、ＵＶを照射して硬化させることを特徴とするホログラム層の形成方法。
【請求項４】
長尺状の透明フィルム上に、透明又は／及び不透明なインキで絵柄が形成され、その絵柄上にホログラム層が形成され、そのホログラム層上に金属層が形成されたホログラムフィルムであって、該ホログラム層が、透明ＵＶ硬化ニスの表面にホログラム形成用エンボス型で絵柄と見当を合わせてプレスし、ＵＶを照射して硬化させたホログラム層であることを特徴とするホログラムフィルム。
【請求項５】
請求項４記載のホログラムフィルムの金属層側にシーラント層を設けたことを特徴とする包装材料。
【請求項６】
請求項４記載のホログラムフィルムの金属層側にカード基材を貼り合わせたことを特徴とするカード。
【発明の詳細な説明】
【０００１】
【発明の属する技術分野】
本発明は、ホログラム層に関するものであり、特に、印刷した絵柄に対し、見当を合わせてホログラムのパターンを形成することのできるホログラム層の形成方法、及びホログラムフィルム、並びに包装材料、カードに関する。
【０００２】
【従来の技術】
光の干渉を利用して立体画像や特殊な装飾画像を表現し得るホログラムは、立体画像やカラーシフトといった独特な印象を与えるため、優れた装飾効果を有しており各種包装材料や絵本、カタログ等の一般的な印刷物に利用されている。
ホログラムは、微細な凹凸の回折構造からなっており、光の回折と干渉により見る角度に応じて、固有の像や色の変化を生じる。
このホログラムは、一般に光学的な撮影方法により微細な凹凸の回折構造からなるレリーフ型のマスターホログラムを作製し、これから複製したホログラム形成用エンボス型をホログラムを形成する層上にプレスし、ホログラム層を形成するといった方法により大量複製が行われている。
【０００３】
長尺状の透明フィルム上にホログラム層を形成する際には、例えば、先ず透明フィルム上に絵柄を印刷する。次に、この印刷とはオフラインで、絵柄が印刷された透明フィルム上に、ホログラムを形成する層としてポリプロピレンを押出機にて貼り合わせ、同時にホログラムの凹凸が設けられたクーリングロールでエンボスを行いホログラム層を形成するといった方法がとられている。
【０００４】
しかし、この方法は、絵柄の印刷とホログラム層の形成が切り離された装置を用いた別工程であるために、透明フィルム上に印刷される絵柄に、見当を合わせてホログラムのパターンを形成することは困難である。
従って、ホログラム層に形成されるホログラムのパターンとしては、絵柄に対し見当合わせを必要としない、例えば、一様なパターンに限られていた。
【０００５】
【発明が解決しようとする課題】
本発明は、上記問題に鑑みてなされたものであり、長尺状の透明フィルム上にホログラム層を形成する際に、ホログラム層に形成されるホログラムのパターンを、印刷された絵柄に対し見当を合わせて形成することのできるホログラム層の形成方法を提供することを課題とするものである。
また、長尺状の透明フィルム上に、印刷された絵柄、及び絵柄と見当を合わせて形成されたホログラムのパターンを有するホログラム層が設けられたホログラムフィルムを提供することを課題とする。
また、上記ホログラムフィルムを用いた包装材料、カードを提供することを課題とする。
【０００６】
【課題を解決するための手段】
本発明は、長尺状の透明フィルム上に透明ＵＶ硬化ニスを塗布し、その表面にホログラム形成用エンボス型でプレスし、ＵＶを照射して硬化させることを特徴とするホログラム層の形成方法である。
【０００７】
また、本発明は、長尺状の透明フィルム上に絵柄を印刷し、透明ＵＶ硬化ニスを塗布し、その表面にホログラム形成用エンボス型でプレスし、ＵＶを照射して硬化させることを特徴とするホログラム層の形成方法である。
【０００８】
また、本発明は、長尺状の透明フィルム上に絵柄を印刷し、その絵柄と見当を合わせて透明ＵＶ硬化ニスを塗布し、更に、その透明ＵＶ硬化ニスの表面にホログラム形成用エンボス型で絵柄と見当を合わせてプレスし、ＵＶを照射して硬化させることを特徴とするホログラム層の形成方法である。
【０００９】
また、本発明は、長尺状の透明フィルム上に、透明又は／及び不透明なインキで絵柄が形成され、その絵柄上にホログラム層が形成され、そのホログラム層上に金属層が形成されたホログラムフィルムであって、該ホログラム層が、透明ＵＶ硬化ニスの表面にホログラム形成用エンボス型で絵柄と見当を合わせてプレスし、ＵＶを照射して硬化させたホログラム層であることを特徴とするホログラムフィルムである。
【００１０】
また、本発明は、上記発明によるホログラムフィルムの金属層側にシーラント層を設けたことを特徴とする包装材料である。
【００１１】
また、本発明は、上記発明によるホログラムフィルムの金属層側にカード基材を貼り合わせたことを特徴とするカードである。
【００１２】
【発明の実施の形態】
以下に本発明の実施の形態を詳細に説明する。
図１は、本発明によるホログラムフィルムの一実施例を示す断面図である。図１に示すように、本発明によるホログラムフィルム（１）の一実施例は、長尺状の透明フィルム（５０）上に、絵柄（２）、ホログラム層（３）、金属層（４）が設けられたものである。
【００１３】
図１に示すホログラムフィルム（１）は、絵柄（２）が形成された透明フィルム（５０）上の全面にホログラム層（３）設けられた例である。
ホログラム層（３）は、ホログラムを形成する層としての透明ＵＶ硬化ニスを透明フィルム（５０）上に塗布し、その表面にホログラム形成用エンボス型でプレスし、ＵＶを照射して硬化させホログラム層（３）としたものである。
図１に示すホログラム層（３）は、絵柄（２）と見当を合わせてホログラムのパターン（５）が設けられた例である。
【００１４】
本発明に用いられる透明フィルム（５０）としては、例えば、延伸ポリプロピレンフィルム、延伸ポリエチレンテレフタレートフィルム、延伸ナイロンフィルムなどが挙げられる。
また、ホログラムを形成する層としての透明ＵＶ硬化ニスは、例えば、アクリル系の光重合性プレポリマー、光重合性モノマー、光開始剤を主成分とするものである。具体的には、例えば、Ｎｏｒｔｈｗｅｓｔ  Ｃｏａｔｎｇ社製：「ｇｒａｄｅ  １６３７９」（商品名）が挙げられる。
【００１５】
また、金属層（４）としては、反射率の高い金属材料が好ましく、例えば、Ａｌ、Ｓｎ、Ｃｒ、Ｎｉ、Ｃｕ、Ａｕ等の金属材料が挙げられ、これら材料を単独あるいは積層して使用できる。これらの材料は真空蒸着法、スパッタリング等の公知の薄膜形成技術にて形成される。
【００１６】
また、絵柄（２）は、透明なインキ又は不透明なインキ、或いは透明なインキ及び不透明なインキを用いて印刷されたものである。透明なインキを用いた場合には、ホログラムのパターン（５）を透明フィルム（５０）側から観視したとき、ホログラムのパターン（５）は絵柄（２）を透かして見ることができる。
また、不透明なインキを用いた場合には、遮蔽したいホログラムのパターン（５）を隠蔽することができる。
更に、透明なインキ及び不透明なインキを、各々異なった位置の絵柄に用いた場合には、各々は透かして見ることができるものと、隠蔽効果のあるものとなる。
【００１７】
図１に示すホログラム層（３）は、絵柄（２）と見当を合わせてホログラムのパターン（５）が設けられているので、ホログラムのパターン（５）としては、見当合わせを必要としない一様なパターンの場合とは異なり、絵柄（２）に対し特定のホログラムのパターン（５）を設けることができる。
従って、ホログラムのもつ装飾画像の表現効果が向上したホログラムフィルムとなる。また、絵柄（２）は、透明なインキ又は不透明なインキ、或いは透明なインキ及び不透明なインキを用いるので、この効果を組み合わせることにより表現効果が一層高まったものとなる。
【００１８】
図４は、本発明によるホログラム層の形成方法の一例を示す説明図である。
図４に示すように、先ず、長尺状の透明フィルム（５０）上に、印刷ユニット部（１０）で絵柄を印刷する。次に、ＵＶニスコート部（２０）で、この絵柄と見当を合わせて、透明ＵＶ硬化ニスを塗布する。
更に、エンボス部（３０）で、透明ＵＶ硬化ニスの表面にホログラム形成用エンボス型（エンボスロール（３１））でプレスし、ＵＶ照射装置（４０）からのＵＶを照射して硬化させホログラム層とする。
これら絵柄の印刷、透明ＵＶ硬化ニスの塗布、及びＵＶ照射による透明ＵＶ硬化ニスの硬化は、連結された装置によって行われる。
【００１９】
ＵＶニスコート部（２０）は、ニス用グラビアロール（２１）、クローズドドクター（２２）、フレキソロール（２３）、及び圧ロール（２４）で構成されており、クローズドドクター（２２）は、液供給部、及びドクターがチャンバー内に収められたものである。
フレキソロール（２３）には、絵柄に対応した凸パターンが形成されており、絵柄に対応したパターン状の透明ＵＶ硬化ニスが絵柄と見当を合わせて塗布される。透明ＵＶ硬化ニスを塗布する方式は、通常のグラビア方式、すなわち、ダイレクトグラビア方式でもよい。
【００２０】
エンボス部（３０）では、塗布された透明ＵＶ硬化ニスの表面に、絵柄に対応したパターン状にホログラムの凹凸が設けられたホログラム形成用エンボス型（エンボスロール（３１））でプレスし、同時に、透明フィルム（５０）側からのＵＶ照射によって透明ＵＶ硬化ニスを硬化させホログラム層を形成する。
透明ＵＶ硬化ニスへのプレス及びＵＶ照射は、図４に示す例ではプレスと同時にＵＶ照射を行う方法であるが、他の方法として、例えば、先ずプレスを行い、次にＵＶ照射を行う方法、或いは、先ず予備ＵＶ照射を行い、次にプレス、次に本ＵＶ照射を行う方法などが挙げられる。
尚、図４において、（１１）は印刷用グラビアロール、（１２）はドクター、（１４）、（３４）は圧ロールを表している。
【００２１】
図５は、本発明によるホログラム層の形成方法の他の第一例を示す説明図である。図５に示すように、この形成方法は、エンボス部（３０）において、ホログラム形成用エンボス型（エンボスロール（３１））でプレスし、同時に、透明ＵＶ硬化ニス側からのＵＶ照射によって透明ＵＶ硬化ニスを硬化させホログラム層（３）を形成するものである。
この形成方法によれば、ＵＶ透過率の悪い透明フィルムを用いた場合でも、或いは、絵柄の印刷に不透明なインキを用いた場合でも透明ＵＶ硬化ニスは十分に硬化される。
【００２２】
また、図６は、本発明によるホログラム層の形成方法の他の第二例を示す説明図である。図６に示すように、この形成方法は、ＵＶニスコート部（２０）において、パターン状の透明ＵＶ硬化ニスが絵柄と見当を合わせて塗布された後に、透明ＵＶ硬化ニス側よりＵＶ照射装置（４１）によって予備ＵＶ照射を行い、次に、ホログラム形成用エンボス型（エンボスロール（３１））でプレスし、次に、ＵＶ照射装置（４０）によって本ＵＶ照射を行い、ホログラム層を形成するものである。
この形成方法によれば、例えば、透明ＵＶ硬化ニスの流動性が高い場合に、予め、流動を抑えておくことができ、好ましいパターン形状、厚みを有するホログラム層を形成することができる。
【００２３】
上記のように、本発明によるホログラム層の形成方法によれば、長尺状の透明フィルム上に印刷による絵柄の形成、透明ＵＶ硬化ニスの塗布、及びホログラム形成用エンボス型（エンボスロール）での絵柄と見当を合わせたプレス、ＵＶ照射による透明ＵＶ硬化ニスの硬化を、連結された装置を用いて行うので、絵柄に対し見当を合わせた特定のホログラムのパターンを有するホログラム層を設けることができる。
また、本発明によるホログラム層の形成方法は、連結された装置を用いてホログラムフィルムを製造するので、従来の方法に比べ工数の減少した方法となる。
【００２４】
上記図４〜図６に示す、ホログラム層の形成方法は、いずれも透明ＵＶ硬化ニスが絵柄に対応したパターン状であり、エンボスロール（３１）に設けられたホログラムの凹凸が絵柄に対応したパターン状の例であるが、本発明によるホログラム層の形成方法は、また、長尺状の透明フィルム上に透明ＵＶ硬化ニスを塗布し、その表面にホログラム形成用エンボス型でプレスし、ＵＶを照射して硬化させることを特徴とするものであり、印刷により形成される絵柄に制約されるものではない。
【００２５】
図２は、本発明によるホログラムフィルムを用いた包装材料の一例を示す断面図である。
図２に示すように、この包装材料は、図１に示すホログラムフィルム（１）の金属層（４）側に、ポリエチレンなどのシーラント層（６）を設けた包装材料である。この包装材料は、上記ホログラムフィルム（１）を用いた包装材料であるので、ホログラムのもつ装飾画像の表現効果が向上した包装材料となる。
【００２６】
図３は、本発明によるホログラムフィルムを用いたカードの一例を示す断面図である。図３に示すように、このカードは、図１に示すホログラムフィルム（１）の金属層（４）側に、カードの基材（７）を貼り合わせたカードである。
カードの基材としては、主に、ポリ塩化ビニル樹脂、塩化ビニル・酢酸ビニル共重合体が用いられ、特に、ポリ塩化ビニル樹脂は、物理的な機械強度やエンボス適性などが優れておりカードの基材として好ましい。ポリ塩化ビニル樹脂以外にもポリテレフタル酸エチレン−Ｇ（ＰＥＴ−Ｇ）、アクリロニトリル−ブタジエン−スチレン（ＡＢＳ）、ポリカーボネート（ＰＣ）などが挙げられる。
このカードは、上記ホログラムフィルム（１）を用いたカードであるので、ホログラムのもつ装飾画像の表現効果が向上したカードとなる。
【００２７】
【発明の効果】
本発明は、長尺状の透明フィルム上に絵柄を印刷し、その絵柄と見当を合わせて透明ＵＶ硬化ニスを塗布し、更に、その透明ＵＶ硬化ニスの表面にホログラム形成用エンボス型で絵柄と見当を合わせてプレスし、ＵＶを照射して硬化させるので、印刷された絵柄と見当を合わせて形成されたホログラムのパターンを有するホログラム層の形成方法となる。
【００２８】
また、本発明は、長尺状の透明フィルム上に、透明又は／及び不透明なインキで絵柄が形成され、その絵柄上にホログラム層が形成され、そのホログラム層上に金属層が形成されたホログラムフィルムであって、該ホログラム層が、透明ＵＶ硬化ニスの表面にホログラム形成用エンボス型で絵柄と見当を合わせてプレスし、ＵＶを照射して硬化させたホログラム層であるので、ホログラムのもつ装飾画像の表現効果が向上したホログラムフィルムとなる。
【図面の簡単な説明】
【図１】本発明によるホログラムフィルムの一実施例を示す断面図である。
【図２】本発明によるホログラムフィルムを用いた包装材料の一例を示す断面図である。
【図３】本発明によるホログラムフィルムを用いたカードの一例を示す断面図である。
【図４】本発明によるホログラム層の形成方法の他の第一例を示す説明図である。
【図５】本発明によるホログラム層の形成方法の他の第二例を示す説明図である。
【図６】本発明によるホログラム層の形成方法の他の第三例を示す説明図である。
【符号の説明】
１…本発明によるホログラムフィルム
２…絵柄
３…ホログラム層
４…金属層
５…ホログラムのパターン
６…シーラント層
７…カードの基材
１０…印刷ユニット部
１１…印刷用グラビアロール
１２…ドクター
１４、２４、３４…圧ロール
２０…ＵＶニスコート部
２１…ニス用グラビアロール
２２…クローズドドクター
２３…フレキソロール
３０…エンボス部
３１…ホログラム形成用エンボス型（エンボスロール）
４０、４１…ＵＶ照射装置
５０…透明フィルム
【図１】
2004198774.tif 000003
【図２】
2004198774.tif 000004
【図３】
2004198774.tif 000005
【図４】
2004198774.tif 000006
【図５】
2004198774.tif 000007
【図６】
2004198774.tif 000008